(57)【要約】      （修正有）【課題】使用者が複数の情報端末から接続対象を任意に変更することができる複数切換接続可能なインプットデバイスを提供する。【解決手段】インプットモジュールに電気的に接続される制御ユニット、データテーブルを予め複数設定してあるメモリユニット、制御ユニット及びメモリユニットに電気的に接続されるブルートゥースユニット、ブルートゥースモジュールを備える。制御ユニットはインプットシグナルによりアウトプットシグナル又は切換シグナルを発信する。ブルートゥースユニットは切換シグナルを受信した際、メモリユニットのデータテーブルから通信機器情報を読み出し、ブルートゥースモジュールへアウトプットする。ブルートゥースモジュールはアウトプットシグナルを受信した際、すでに接続している情報端末へ伝送又はブルートゥースモジュールが伝送した通信機器情報により、通信機器情報に対応する情報端末と接続を確立する。【選択図】図２
0003168525.tif 000002
【実用新案登録請求の範囲】
【請求項１】
複数切換接続可能なインプットデバイスであって、前記インプットデバイス（２）は
使用者によってインプットシグナルを発信するインプットモジュール（２２）と、
前記インプットモジュール（２２）に電気的に接続され、前記インプットシグナルによりアウトプットシグナル或いは切換シグナルを発信する制御ユニット（２１）と、
接続可能な情報端末（１）の通信機器情報を保存できるデータテーブル（２３１）を予め複数設定してあるメモリユニット（２３）と、
前記制御ユニット（２１）及び前記メモリユニット（２３）に電気的に接続され、前記切換シグナルによって前記メモリユニット（２３）から前記データテーブル（２３１）内にある前記接続可能な情報端末（１）の通信機器情報を読み出し、アウトプットするブルートゥースユニット（２４）と、
前記アウトプットシグナルを受信し、すでに接続している前記情報端末（１）へ伝送する、或いは前記切換シグナルにより前記ブルートゥースユニット（２４）がアウトプットして伝送した前記接続可能な情報端末（１）の通信機器情報により、前記接続可能な情報端末（１）の通信機器情報に対応する前記情報端末（１）と接続を確立するブルートゥースモジュール（２８）と、
を備えることを特徴とする複数切換接続可能なインプットデバイス。
【請求項２】
前記インプットモジュール（２２）は前記アウトプットシグナルを発する複数のキーを備え、前記キーが２つ以上同時に押されることにより、前記制御ユニット（２１）は異なる切換シグナルを発信し、異なる切換シグナルは前記ブルートゥースユニット（２４）に前記異なる切換シグナルと対応するデータテーブル（２３１）を読み出させることを特徴とする請求項１に記載の複数切換接続可能なインプットデバイス。
【請求項３】
前記インプットモジュール（２２）は前記アウトプットシグナルを発する複数のキー及び多段切換スイッチ（２７）を備え、前記多段切換スイッチ（２７）は複数の切換選択位置を有し、その切換により前記制御ユニット（２１）は異なる切換シグナルを発し、異なる切換シグナルは前記ブルートゥースユニット（２４）に前記異なる切換シグナルと対応する前記データテーブル（２３１）を読み出させることを特徴とする請求項１に記載の複数切換接続可能なインプットデバイス。
【考案の詳細な説明】
【技術分野】
【０００１】
本考案は、複数切換接続可能なインプットデバイス、より詳しくは、ブルートゥースにより複数の情報端末に対し個別に入力を行うインプットデバイスに関する。
【背景技術】
【０００２】
キーボードはパソコンにおいて、必要不可欠な周辺機器である。パソコンが急速に進歩する中、キーボードはその態様をほぼ変えず維持している。しかしキーボードの材質及び構造の改良が進むにつれて、キーボードのサイズ及び重量は大幅に軽減され、更には折りたたみ式キーボードや巻き取り式キーボードまで現れ、これらのキーボードの進化はキーボードを持ち運びに便利なパソコン用周辺機器とした。しかし、キーボードを活用する際に重要なポイントとなるのは、従来のキーボードがパソコンと接続ケーブルで接続される必要があることだ。使用範囲及び使用環境は、接続ケーブルの長さに制限される。そこで、台湾特許第５１０５３７号では無線技術をキーボード上に利用する「無線キーボード」について記載されている。該発明は赤外線或いはＲＦ（Ｒａｄｉｏ  Ｆｒｅｑｕｅｎｃｙ）を利用し、パソコンとの情報伝達を可能にしている。このような無線技術（主に赤外線）を利用するキーボードはキーボードの使用範囲が接続ケーブルに制限されるという技術的問題を解決したが、赤外線は接続距離、角度及び障害物に影響を受けるという欠点があり、無線信号がこれらの要因によりエラーを起こしやすい。
【０００３】
無線技術を改善する他に、従来のキーボードには応用できる範囲が狭いという欠点もある。従来のキーボードはパソコンで使用されるよう考えられているので、ＵＳＢインターフェイスが普及する以前は、ＰＳ２端子のようなキーボード接続インターフェイスが利用されたが、これはパソコンにしか接続できない。しかし使用者が、パソコン以外の製品に文字入力を行う必要性は少なくない。台湾特許第５３２５２３号には「ＰＤＡ赤外線キーボード」が記載されている。該発明の主な技術はキーボード上にＰＤＡを載せるための台座を備え、前記台座には更に赤外線装置が設置されている。ＰＤＡを前記台座に載せることで、赤外線装置とＰＤＡの接続を安定させることが可能であり、これによりキーボードを利用してＰＤＡに入力を行うことができるため、直接ＰＤＡ上で入力を行うよりも素速く入力でき、効果的である。
【０００４】
最近ではキーボードにブルートゥース技術を利用したものも現れた。台湾特許第Ｍ３４１２６６号に記載された「ボタンとキーボード」では、導電膜をアンテナの一部とし、導電膜をキーボード上のキーの下に設置することでキー自体にアンテナの機能を備えさせ、ブルートゥースの機能を備えるだけでなく小型化も可能にした。
【０００５】
ブルートゥースを備えたキーボードは赤外線より利便性に優れるが、現在あるブルートゥース技術を利用したキーボードは単一デバイス間での接続に使われるものがほとんどであり、ブルートゥースの範囲内にある複数のデバイスと切り換えながら接続する技術には改善の余地がある。
【先行技術文献】
【特許文献】
【０００６】
【特許文献１】台湾特許第５１０５３７号公報
【特許文献２】台湾特許第５３２５２３号公報
【特許文献３】台湾特許第Ｍ３４１２６６号公報
【考案の概要】
【考案が解決しようとする課題】
【０００７】
上述の従来技術を改善すべく、本考案の目的は、使用者が複数の情報端末から接続対象を任意に変更することができる複数切換接続可能なインプットデバイスを提供することである。
【課題を解決するための手段】
【０００８】
本考案は、複数切換接続可能なインプットデバイスに関する。前記インプットデバイスは使用者によってインプットシグナルを発信するインプットモジュール、前記インプットモジュールに電気的に接続される制御ユニット、データテーブルを予め複数設定してあるメモリユニット、前記制御ユニット及び前記メモリユニットに電気的に接続されるブルートゥースユニット、及びブルートゥースモジュールを備える。各情報端末の通信機器情報はそれぞれデータテーブルに保存される。前記制御ユニットは前記インプットシグナルによりアウトプットシグナル或いは切換シグナルを発信する。前記ブルートゥースユニットは切換シグナルを受信した際、前記メモリユニットの前記データテーブルから通信機器情報を読み出し、前記ブルートゥースモジュールへアウトプットする。前記ブルートゥースモジュールはアウトプットシグナルを受信した際、すでに接続している前記情報端末へ伝送する、或いは前記ブルートゥースモジュールが伝送した通信機器情報によって、前記通信機器情報に対応する情報端末と接続を確立する。
【０００９】
上述の技術により、前記インプットデバイスは同時に複数の情報端末と接続するのに必要な通信機器情報を保存し、使用者はボタン或いはスイッチにより通信機器情報を選択し、目的の情報端末と接続を確立する。前述の通信機器情報はＢＤアドレス（ＢＤ＿ａｄｄｒｅｓｓ）或いはＰＩＮコード（ｐｉｎ＿ｃｏｄｅ）或いはその両方を組み合わせたものである。使用者はキー或いは切換スイッチの選択により前記ブルートゥースユニットに通信機器情報を読みださせ、対応する情報端末と接続を確立することができる。
【考案の効果】
【００１０】
本考案は使用者が１つのインプットデバイスから複数の情報端末へ入力を行うことを可能にし、切換に便利で、接続ケーブルに制限を受けないというメリットがある。
【図面の簡単な説明】
【００１１】
【図１】本考案の複数切換接続可能なインプットデバイスを示すブロック図である。
【図２】本考案のインプットデバイスの回路を示すブロック図である。
【図３】本考案の複数切換接続可能なインプットデバイスの読み取りを示す説明図である。
【図４】本考案の複数切換接続可能なインプットデバイスの実施例１を示す説明図である。
【図５】本考案の複数切換接続可能なインプットデバイスの実施例２を示す説明図である。
【図６】本考案の複数切換接続可能なインプットデバイスの実施例３を示す説明図である。
【図７】本考案の複数切換接続可能なインプットデバイスの実施例４を示す説明図である。
【図８】本考案の複数切換接続可能なインプットデバイスの実施例５を示す説明図である。
【考案を実施するための形態】
【００１２】
本考案は、無線技術を利用したインプットデバイス及び少なくとも１つの情報端末間の接続に利用できる複数切換接続可能なインプットデバイスに関する。図１は本考案の複数切換接続可能なインプットデバイスを示すブロック図であり、図２は本考案のインプットデバイスの回路を示すブロック図である。また、図３は本考案の複数切換接続可能なインプットデバイスの読み取りを示す説明図である。図１及び図２に示すように、インプットデバイス２はブルートゥースモジュール２８を備え、同じくブルートゥースモジュール１１を備える少なくとも１つの情報端末１との間で接続を行う。ブルートゥースモジュール１１、２８は、情報端末１或いはインプットデバイス２に外付け或いは内蔵される。インプットデバイス２は、制御ユニット２１、インプットモジュール２２、メモリユニット２３と、制御ユニット２１とメモリユニット２３に電気的に接続されるブルートゥースユニット２４とを備える。メモリユニット２３は予め複数のデータテーブル２３１が設定される（図３に示す）。インプットデバイス２は検出済みの接続可能な情報端末１の通信機器情報をそれぞれ各データテーブル２３１へ保存する。これによりインプットデバイス２の周囲に複数の接続可能な情報端末１が存在する際に、メモリユニット２３のデータテーブル２３１は複数の接続可能な情報端末１の通信機器情報を保存する。前述の通信機器情報はＢＤアドレス（ＢＤ＿ａｄｄｒｅｓｓ）或いはリンクキー（ｌｉｎｋ  ｋｅｙ）或いはその両方を組み合わせたものである。
【００１３】
インプットデバイス２２は、使用者の操作により制御ユニット２１へインプットシグナルを発信し、異なるインプットシグナルにより制御ユニット２１はアウトプットシグナル或いは切換シグナルを発信する。制御ユニット２１がアウトプットシグナルを発信した際、前記アウトプットシグナルはブルートゥースユニット２４によって受信され、ブルートゥースユニット２４は前記アウトプットシグナルをブルートゥースモジュール２８へ伝送する。ブルートゥースモジュール２８は受信した前記アウトプットシグナルを既に接続している情報端末１へ伝送する。
【００１４】
制御ユニット２１が切換シグナルを発信した際には、ブルートゥースユニット２４はメモリユニット２３のデータテーブル２３１から通信機器情報を読み出し、ブルートゥースモジュール２８へアウトプットする。ブルートゥースモジュール２８は受信した通信機器情報に対応した情報端末１と接続を確立する。これにより、使用者はインプットモジュール２２が制御ユニット２１に異なる切換シグナルを発信させ、ブルートゥースモジュール２８に異なる情報端末１と接続を確立させることで、迅速に接続対象を切り替える目的を果たす。
【００１５】
インプットモジュール２２は更に制御ユニット２１にサーチコマンドを実行させ、ブルートゥースユニット２４にブルートゥースモジュール２８を介して接続可能な情報端末１を検索させ、通信機器情報をメモリユニット２３に保存することができる。図３の実施例では、通信機器情報をＢＤアドレス（ＢＤ＿ａｄｄｒｅｓｓ）及びリンクキー（ｌｉｎｋ  ｋｅｙ）を組み合わせたものを例としている。図３に示すように、メモリユニット２３は予め複数のデータテーブル２３１が設定され、それぞれのデータテーブル２３１には一組の通信機器情報が保存される。通信機器情報はＢＤアドレス（ＢＤ＿ａｄｄｒｅｓｓ）及びリンクキー（ｌｉｎｋ  ｋｅｙ）の組み合わせである。
【００１６】
上述の回路構造は具体的な実施の際には様々な態様がある。図４は本考案の複数切換接続可能なインプットデバイスの実施例１を示す説明図である。図４の実施例では、インプットデバイス２はキーボードである。前記キーボードは制御ユニット２１にアウトプットシグナルを情報端末１へ発信させる複数のキー及び複数の装置切換ボタン２５を備える。異なる装置切換ボタン２５は制御ユニット２１に対応するデータテーブル２３１の切換シグナルを発信させ、ブルートゥースユニット２４は前記切換シグナルを受信した際、対応するデータテーブル２３１を読み出し、ブルートゥースモジュール２８は読み出したデータテーブル２３１の通信機器情報により対応する情報端末１と接続を確立する。
【００１７】
図５は本考案の複数切換接続可能なインプットデバイスの実施例２を示す説明図である。図５の実施例では、前記キーボード上のキーが複数のキーの組み合わせにより制御ユニット２１に異なる切換シグナルを発生させる。異なる切換シグナルは異なるデータテーブル２３１に対応しており、キーの組み合わせは少なくとも２つのキーを含む。図５に示す実施例では、キーボードは切換ボタン２６を備え、切換ボタン２６を押しながら複数のキーのうち少なくとも１つを押すことで特定のキーの組み合わせとなり、対応する選択信号を発信する。例えば、使用者は切換ボタン２６を押しながらＦ１キーからＦ４キーのうちのどれかを押すことで、４つの情報端末の中から１つを選んで接続することができる。
【００１８】
図６は本考案の複数切換接続可能なインプットデバイスの実施例３を示す説明図である。図６の実施例では、前記キーボードは多段スイッチ２７を備える。多段スイッチ２７は複数の切換位置を有し、制御ユニット２１に対応する異なる選択信号を発生させる。図６に示すように、情報端末１はパソコン、携帯電話、或いはＰＤＡやテレビゲーム機であり、前記パソコンはノートパソコンを含む。
【００１９】
図７は本考案の複数切換接続可能なインプットデバイスの実施例４を示す説明図であり、図８は本考案の複数切換接続可能なインプットデバイスの実施例５を示す説明図である。図７の実施例ではインプットデバイス２はマウスであり、図８の実施例ではインプットデバイスはゲームコントローラである。前記マウス或いは前記ゲームコントローラは、切換を制御する装置として前述の装置切換ボタン、複数のキーの組み合わせ、或いは多段スイッチを使用できる。本考案の内容を基に、当業者が容易に想到し得る様態は全て本考案の範囲に属する。前述の選択装置の設計により、前記マウス或いは前記ゲームコントローラを操作することで制御ユニット２１に異なる選択信号を発生させ、ブルートゥースユニット２４にメモリユニット２３のデータテーブル２３１から特定の通信機器情報を読み取らせ、それに対応する情報端末１と接続する。これにより切換ができ、更に接続ケーブルに制限を受けないメリットも受け継ぐ。
【００２０】
上述において、本考案の説明の利便性のために最良の実施例を挙げて説明したが、これらの実施例は本考案の請求の範囲を限定するものではない。通信機器情報及び選択信号の対応及び読み取り関係はソフト或いは各種プログラムにより、メモリアドレスの読み取り等に異なった形態がある。データの保存及び読み取りの方法は本考案が重視する技術的特徴ではなく、読み取りの方法についてはコンピュータプログラムの領域において当業者が容易に想到し得るものである。本考案の請求の範囲を離脱しないあらゆる当業者がなし得る本考案の変更は全て本考案の請求の範囲に属する。
【符号の説明】
【００２１】
１      情報端末
２      インプットデバイス
１１    ブルートゥースモジュール
２１    制御ユニット
２２    インプットモジュール
２３    メモリユニット
２４    ブルートゥースユニット
２５    装置切換ボタン
２６    切換ボタン
２７    多段スイッチ
２８    ブルートゥースモジュール
３１    ブルートゥースデバイス
３２    ブルートゥースデバイス
２３１  データテーブル
【図１】
0003168525.tif 000003
【図２】
0003168525.tif 000004
【図３】
0003168525.tif 000005
【図４】
0003168525.tif 000006
【図５】
0003168525.tif 000007
【図６】
0003168525.tif 000008
【図７】
0003168525.tif 000009
【図８】
0003168525.tif 000010